(57)【要約】【課題】調整脚は機器の高さや傾きを調整した後に緩まず、脚の高さが固定され安定した機器の設置状態を維持する。【解決手段】機器の底部１に設けた軸受け部４と、軸受け部４に螺合し上下動可能に設けた軸部３を有する脚２と、軸受け部４の下側に設けた脚２の上下動を固定するロックナット６とを備え、ロックナット６に設けためねじ部６１と軸部３に設けたおねじ部８との接触面にリブを設けたことにより、ロックナットのめねじ部と軸部のおねじ部との接触面に設けたリブが互いに当接することで螺合が緩まず、安定した機器の設置状態を維持することができる。【選択図】図１
2014211203.tif 000002
【特許請求の範囲】
【請求項１】
機器の底部に設けた軸受け部と、
前記軸受け部に螺合し上下動可能に設けた軸部を有する脚と、
前記軸受け部の下側に設けた前記脚の上下動を固定するロックナットとを備え、
前記ロックナットに設けためねじ部と前記軸部に設けたおねじ部との接触面にリブを設けたことを特徴とする機器用調整脚。
【請求項２】
前記めねじ部の下面と、前記おねじ部の上面に前記リブを設けたことを特徴とする請求項１に記載の機器用調整脚。
【発明の詳細な説明】
【技術分野】
【０００１】
本発明は洗濯機やプロジェクターなど、電子・電器機器を地面や床面、机上に設置する場合に、機器の傾きや、高さを調整するために使用される機器用調整脚に関するものである。
【背景技術】
【０００２】
従来、この種の機器用の調整脚は、洗濯機等の機器の底部の角部に設置された複数の脚のうち、少なくとも一つを高さが調整可能な構造にして、機器を安定するように設置する。
【０００３】
図５は、従来の機器用調整脚を例示する断面図で、洗濯機等の機器の底部に設けた高さ調整可能な脚を示している。図５に示すように、機器の底部１には、脚２が有する軸部３と螺合する軸受け部４を設け、軸部３を回動することで脚２の下部に設けた接地部５を上下動させて高さを調整する。
【０００４】
機器の設置状態が安定するように、適当な位置に接地部５の高さを設定すると、軸受け部４の下側に設けたロックナット６を締め付けて固定する。（例えば、特許文献１参照）。
【先行技術文献】
【特許文献】
【０００５】
【特許文献１】特開平２−７７２９５号公報
【発明の概要】
【発明が解決しようとする課題】
【０００６】
しかしながら、前記従来の構成では、ロックナット６を強く締めても、ロックナット６に設けためねじ部と、軸受け部４に設けためねじ部７と軸部３に設けたおねじ部８との接触面における隙間９、１０の影響により、機器の運転に伴う振動や、時間経過に伴う機器の自重によって螺合が緩み、軸部３が上下動して接地部５の高さ位置が変動し、機器の設置状況が安定しないという課題を有している。
【０００７】
本発明は、前記従来の課題を解決するもので、軸部を上下動して接地部の高さ位置を設定した後、機器の運転に伴う振動や、時間経過に伴う機器の自重によって螺合が緩むことを防止し、安定した機器の設置状態を維持する機器用調整脚を提供することを目的とする。
【課題を解決するための手段】
【０００８】
前記従来の課題を解決するために、本発明の機器用調整脚は、機器の底部に設けた軸受け部と、前記軸受け部に螺合し上下動可能に設けた軸部を有する脚と、前記軸受け部の下側に設けた前記脚の上下動を固定するロックナットとを備え、前記ロックナットに設けためねじ部と前記軸部に設けたおねじ部との接触面にリブを設けたことを特徴とするものである。
【０００９】
これにより、ロックナットのめねじ部と軸部のおねじ部との接触面に設けたリブが互いに当接することで螺合が緩まず、安定した機器の設置状態を維持することができる。
【発明の効果】
【００１０】
本発明の機器用調整脚は、機器の高さや傾きを調整した後に、軸部と軸受け部との螺合が緩まず脚の高さが固定され、安定した機器の設置状態を維持することができる。
【図面の簡単な説明】
【００１１】
【図１】本発明の実施の形態１における機器用調整脚の断面図
【図２】（ａ）同、機器用調整脚のロックナットを締め付ける前の状態を示す要部断面図、（ｂ）同、ロックナットを締め付けた後の状態を示す要部断面図
【図３】同、実施の形態における機器用調整脚のロックナットの斜視図
【図４】同、実施の形態における機器用調整脚の脚の斜視図
【図５】従来の機器用調整脚の断面図
【発明を実施するための形態】
【００１２】
第１の発明は、機器の底部に設けた軸受け部と、前記軸受け部に螺合し上下動可能に設けた軸部を有する脚と、前記軸受け部の下側に設けた前記脚の上下動を固定するロックナットとを備え、前記ロックナットに設けためねじ部と前記軸部に設けたおねじ部との接触面にリブを設けたことにより、ロックナットのめねじ部と軸部のおねじ部との接触面に設けたリブが互いに当接することで螺合が緩まず、安定した機器の設置状態を維持することができる。
【００１３】
第２の発明は、特に、第１の発明において、前記めねじ部の下面と、前記おねじ部の上面に前記リブを設けたことにより、機器の自重によってめねじ部の下面とおねじ部の上面との間の隙間が小さくなり、接触面に設けたリブが互いに容易に当接し、螺合が緩まず調整脚の緩みを防止し、安定した機器の設置状態を維持することができる。
【００１４】
以下、本発明の実施の形態について、図面を参照しながら説明する。なお、従来例と同じ構成のものは同一符号を付して説明を省略する。また、この実施の形態によって本発明が限定されるものではない。
【００１５】
（実施の形態）
図１は、本発明の第１の実施の形態における機器用調整脚の断面図である。図２は、同、機器用調整脚の要部断面図で、（ａ）はロックナットを締め付ける前の状態を示す図、（ｂ）はロックナットを締め付けた後の状態を示す図である。図３は、同、実施の形態における機器用調整脚のロックナットを下方から見た斜視図である。図４は、同、実施の形態における機器用調整脚の脚の斜視図である。
【００１６】
図１において、機器の底部１には、機器の設置状態を安定させるために調整脚１１を設けている。調整脚１１は、脚２が有する軸部３と螺合する軸受け部４を設け、軸部３を回動することで脚２の下部に設けた接地部５を上下動させて高さを調整する。
【００１７】
機器の設置状態が安定するように、適当な位置に接地部５の高さを設定すると、軸受け部４の下側に設けたロックナット６を締め付ける。ロックナット６は、ロック手段として例示される。
【００１８】
ロックナット６に設けためねじ部６１と軸部３に設けたおねじ部８とで構成される接触面には、めねじ部６１の下面１２に設けたリブ１４と、おねじ部８の上面１３に設けたリブ１５とを有する。
【００１９】
ロックナットのめねじ部６１の下面１２とおねじ部８の上面１３との間に生じる隙間が小さくなり、接触面に設けたリブ１４とリブ１５とが互いに当接し、螺合が緩まず安定した機器の設置状態を維持することができる。ここで、接触面とは螺合するめねじ部６１の下面１２とおねじ部８の上面１３とを含む。
【００２０】
図２（ａ）に示すように、ロックナット６を締め付ける前では、機器本体に作用する重力の影響で、めねじ部６１の下面１２とおねじ部８の上面１３との間に生じる隙間９は大きくなり、リブ１４はリブ１５と離間し、当接せずに軸部３を回動して上下動することができる。また、このような設置状態のまま放置すると、機器の運転に伴う振動や、時間経過に伴う機器の自重によって螺合が緩む場合がある。
【００２１】
ただし、図２（ａ）における隙間９を小さくしリブ１４とリブ１５とが離間せず、リブ１４とリブ１５とが当接する面積が小さくなるように、予め螺合条件が設定されていた場合には、リブ１４とリブ１５とが当接し乗り越えるのを繰り返しながら軸部３を回動して上下動することができる。また、このような設置状態のまま放置しても、リブ１４とリブ１５とは当接するように設定されるので、機器の運転に伴う振動や、時間経過に伴う機器の自重によってもリブ１５がリブ１４を乗り越えるほどの作用はなく、リブ１４とリブ１５との当接によって螺合が緩むことを低減できる。
【００２２】
図２（ｂ）に示すように、ロックナット６を締め付けた後では、ロックナット６と軸受け部４の下面とが当接し、軸部３が軸受け部４に対して下方に引き寄せられ、めねじ部６１の下面１２とおねじ部８の上面１３との間に生じる隙間９は小さくなり、リブ１４とリブ１５とが容易に当接し、リブ１４とリブ１５とが当接する面積が大きくなる。これにより、機器の運転に伴う振動や、時間経過に伴う機器の自重によって螺合が緩むことを防止できる。
【００２３】
なお、再び接地部５の高さ位置を調整する場合には、ロックナット６を緩めることで、図２（ａ）の状態にすることができ、高さ位置を容易に調整することができる。
【００２４】
図３に示すように、ロックナット６に設けためねじ部６１の下面１２には複数のリブ１４が、螺合の中心軸すなわち軸部３が挿入されて回動する回転軸を中心にして放射状に等間隔に設けられている。
【００２５】
図４に示すように、軸部３に設けたおねじ部８の上面１３には複数のリブ１５が、螺合の中心軸すなわち軸部３が回動する回転軸を中心にして放射状に等間隔に設けられている。
【００２６】
隣接するリブ１４の間隔と隣接するリブ１５の間隔は、同一か、もしくは倍数関係になっていることが望ましい。これにより、リブ１４とリブ１５とが同時に複数個当接することができ、螺合が緩むことをいっそう防止できる。
【００２７】
図４に示すように、リブ１５をおねじ部８の範囲１６にわたって複数個設けることで、軸部３の上下動に対する、リブ１４とリブ１５とが当接する範囲が拡大し、接地部５の高さの調整範囲が大きくなっても螺合が緩むことを防止できる。
【００２８】
ただし、軸部３を上下動して接地部５の高さ位置を設定した直後に、リブ１４とリブ１５とが必ずしも当接する必要はなく、リブ１４が、隣接するリブ１５の間で当接せずにロックナット６を締め付けて固定しても良く、この場合、機器の運転に伴う振動や、時間経過に伴う機器の自重によって徐々に螺合が緩んでも、やがてリブ１４とリブ１５とが当接し回転止めとなるので、それ以上に螺合が緩むことはない。リブ１４またはリブ１５のいずれかの間隔を小さく設定することで、螺合の緩みに伴う軸部３の上下動する範囲を小さくすることができる。
【００２９】
また、リブ１４は、ロックナット６に設けためねじ部６１の下面１２に複数設ける必要は必ずしもなく、少なくとも一つ設けることでリブ１４とリブ１５とが当接し、螺合が緩むことを防止できる。
【産業上の利用可能性】
【００３０】
以上のように、本発明にかかる機器用調整脚は、軸部と軸受け部の緩みを防止することができるので、電子・電器機器等に限らず、調整脚を有する他の機器の調整脚の用途にも適用できる。
【符号の説明】
【００３１】
１  底部
２  脚
３  軸部
４  軸受け部
６  ロックナット
８  おねじ部
１４、１５  リブ
６１  めねじ部
【図１】
2014211203.tif 000003
【図２】
2014211203.tif 000004
【図３】
2014211203.tif 000005
【図４】
2014211203.tif 000006
【図５】
2014211203.tif 000007